(57)【要約】【課題】ハードディスクドライブの動作立上がりとバッテリの長寿命を同時に可能とする再生装置と再生装置の供給方法を提供する。【解決手段】  磁気ディスクＣに情報を記録する記録部と、磁気ディスクを回転させるモータと、記録領域に情報を記録する不揮発性メモリＢと、情報を画面表示する表示部と、情報を受けて再生処理を行なう再生部と、操作部からの操作信号を受けてから所定時間はモータの速度を段階的に増加し、不揮発性メモリが格納している情報を表示部又は再生部に供給し、所定時間を経過した後はモータの速度を一定速度で回転させるべく制御する制御部をもつ再生装置。【選択図】図１
2008108302.tif 000002
【特許請求の範囲】
【請求項１】
磁気ディスクに情報を記録する記録部と、
前記磁気ディスクを回転させるモータと、
記録領域に情報を記録する不揮発性メモリと、
前記情報を画面表示する表示部と、
前記情報を受けて再生処理を行なう再生部と、
操作部からの操作信号を受けてから所定時間は前記モータの速度を段階的に増加し、前記不揮発性メモリが格納している情報を前記表示部又は再生部に供給し、前記所定時間を経過した後は前記モータの速度を一定速度で回転させるべく制御する制御部と、
を具備することを特徴とする再生装置。
【請求項２】
揮発性メモリを更に有しており、前記不揮発性メモリに格納された情報を前記揮発性メモリに複写し更に前記揮発性メモリから前記再生部に供給するべく、前記制御部で制御することを特徴とする請求項１記載の再生装置。
【請求項３】
前記制御部は、前記モータに電源電圧を供給する電源部の電源電位が所定以下であるときだけ、前記操作部からの操作信号を受けてから所定時間は前記モータの速度を段階的に増加することを特徴とする請求項１記載の再生装置。
【請求項４】
磁気ディスクに情報を記録する記録部と、前記磁気ディスクを回転させるモータと、記録領域に情報を記録する不揮発性メモリと、前記情報を画面表示する表示部と、前記情報を受けて再生処理を行なう再生部を具備する再生装置の供給方法であって、
操作部からの操作信号を受けてから所定時間は前記モータの速度を段階的に増加し、前記不揮発性メモリが格納している情報を前記表示部又は再生部に供給し、前記所定時間を経過した後は前記モータの速度を一定速度で回転させるべく制御することを特徴とする再生装置の供給方法。
【請求項５】
揮発性メモリを用いて、前記不揮発性メモリに格納された情報を前記揮発性メモリに複写し更に前記揮発性メモリから前記再生部に供給することを特徴とする請求項４記載の再生装置の供給方法。
【請求項６】
前記モータに電源電圧を供給する電源部の電源電位が所定以下であるときだけ、前記操作部からの操作信号を受けてから所定時間は前記モータの速度を段階的に増加することを特徴とする請求項４記載の再生装置の供給方法。
【発明の詳細な説明】
【技術分野】
【０００１】
この発明は、ハードディスクドライブ等を用いた再生装置と再生装置における情報の供給方法に関する。
【背景技術】
【０００２】
最近、デジタル技術の発達に伴い、音楽ソースをデジタルファイルで管理して再生する再生装置が開発され普及している。このような携帯型のハードディスクドライブ（hard disc driver：ＨＤＤ）内蔵の再生装置は、内蔵電池を使用して再生しているため、端末の電池の容量によって動作時間が決まってくる。
【０００３】
ＨＤＤを使用した音楽プレーヤにおいては端末内のメモリに必要なデータを蓄積し、データ転送時のときだけＨＤＤの電源を入れることで、端末動作時間を延ばすようなシステムとなっている。しかし、電池使用範囲の閾値を電池使用可能範囲より高めに設定しておかないと、データ転送するためにＨＤＤの電源を入れたとき、立ち上げ時に急激な電流増加による電圧低下が発生し、端末の電源が落ちてしまう。
【０００４】
特許文献１は、磁気ディスク再生装置であって、起動時の供給電流を抑制することで、全体として効率のよいモータ駆動を可能にする再生装置が開示されている。
【特許文献１】特開平０５−２８２７７０号公報。
【発明の開示】
【発明が解決しようとする課題】
【０００５】
しかし、特許文献１の従来技術は、起動時の供給電流を適宜抑制するため、電源スイッチを投入した直後等は磁気ディスクが直ぐには使用できないため、磁気ディスクからの音楽データやディスプレイ用の画像データが直ぐには供給できない。従って、電源スイッチをオンにしてもすぐ音楽が再生できなかったり、操作ディスプレイの画像が直ちに表示されず、数秒の待ち時間が発生する等の問題がある。
【０００６】
本発明は、ハードディスクドライブの動作立上がりとバッテリの長寿命を同時に可能とする再生装置と再生装置の供給方法を提供することを目的とする。
【課題を解決するための手段】
【０００７】
本発明に係る課題を解決するための手段の一実施形態として、
磁気ディスク（Ｃ：２０）に情報を記録する記録部（２０，２１，２２）と、
前記磁気ディスクを回転させるモータ（２１）と、
記録領域に情報を記録する不揮発性メモリ（Ｂ：１９）と、
前記情報を画面表示する表示部（１１）と、
前記情報を受けて再生処理を行なう再生部（２５）と、
操作部（１３）からの操作信号を受けてから所定時間（Ｔ１）は前記モータ（２１）の速度を段階的に増加し、前記不揮発性メモリが格納している情報を前記表示部又は再生部に供給し、前記所定時間を経過した後は前記モータの速度を一定速度で回転させるべく制御する制御部（１３，２４）と、を具備することを特徴とする再生装置。
【発明の効果】
【０００８】
ハードディスクドライブ等をもった再生装置において、ハードディスクの動作立上がりとバッテリの長寿命を同時に可能とする再生装置と再生装置の供給方法を提供する。
【発明を実施するための最良の形態】
【０００９】
以下、この発明の実施の形態について図面を参照して詳細に説明する。
【００１０】
＜本発明の一実施形態である再生装置＞
（構成）
初めに、本発明の一実施形態である再生装置の構成及び動作を図面を用いて説明する。図１は、本発明の一実施形態に係る再生装置の構成の一例を示すブロック図、図２は、本発明の一実施形態に係る再生装置の外観の一例を示す外観図である。本発明の一実施形態である再生装置の一例は、図１に示すように、音声ファイル（更に動画ファイル等）を復号して再生することができるＨＤＤプレーヤ１であって、主にＨＤＤ（hard disc driver）部１６と、端末ホスト部１４で構成されている。
【００１１】
すなわち、再生装置１は、図１及び図２に示すように、液晶ディスプレイ等により操作画面や曲情報を表示するための表示部１１と、全体の動作を制御する制御部１２と、図示しない電源スイッチや各種操作スイッチ、選曲のためのジョグダイヤル等をもつ操作部１３と、端末ホスト１４に含まれＭＰＥＧデコーダ等を用いてＭＰ３ファイル等の音声ファイル等を再生する再生部２５と、端末ホスト１４に含まれ音声ファイルや動画ファイル、画像情報、各種管理情報等を格納する揮発性メモリ１５とを有している。更に、再生装置１は、磁気ディスクをドライブするＨＤＤ１６と、拡張処理等を行なうＨＤＤ用ワークメモリ１７と、ＨＤＤの検索制御等を行なうＨＤＤ用コントローラ１８と、ＨＤＤメディア２０からの音声ファイル、動画ファイル等を格納する大容量不揮発性メモリ１９と、各種デジタルデータを格納する磁気ディスクであるＨＤＤメディア２０と、磁気ディスクを所定速度で回転させるＨＤＤモータ２１と、ＨＤＤモータ２１を駆動させる駆動電流を供給するＨＤＤモータドライバ２２と、少なくともＨＤＤ部１６に電源電位を供給するバッテリ部２３と、特にバッテリ部２３からの電源電位をＨＤＤ部１６に供給するためのスイッチ部２４を有している。
【００１２】
（基本動作）
上述した再生装置１は、以下に示すような基本動作によって音声ファイル等を再生する。すなわち、ユーザの操作部１３の電源スイッチ及び選曲や再生の操作に応じて、制御部１２の制御下の元、現在の管理情報が指定するアドレスに応じて、ＨＤＤ部１６に含まれるＨＤＤメディア２０が格納する（一例として）ＭＰ３ファイル等の音声ファイルや画像情報を内蔵揮発性メモリ１５等に転送する。
【００１３】
すなわち、一例として、ＨＤＤ部１６から端末ホストの揮発性メモリ１５等へデータ転送する際に、揮発性メモリ１５にデータ転送し、転送完了したときにＨＤＤの電源を停止するための停止コマンドと次にＨＤＤを起動したときに必要なデータとを、制御部１２からＨＤＤ部１６内のＨＤＤ用コントローラ１８に通知する。
【００１４】
その通知を受けたＨＤＤ側のコントローラ１８は次の転送に必要なデータを内部にある不揮発性メモリ１９に転送し、転送終了後にＨＤＤメディアＣを停止状態へと移行させる。更に、スイッチ２４を用いて端末ホスト１４からＨＤＤ部１６の電源供給を一時停止する。
【００１５】
更に、制御部１２は、揮発性メモリ１５等に格納した音声情報（動画情報、静止画情報等）を取り出して拡張処理を行い、再生部２５によりＭＰＥＧデコーダ機能等を用いて復調処理を行なって再生した音声信号を図示しない外部端子に出力する。
【００１６】
更に、制御部１２は、ユーザの操作部１３による再生操作に応じた操作信号に従って、揮発性メモリ１５等のデータがなくなる前にＨＤＤ部１６の電源を再び投入し、ＨＤＤ部１６にデータ転送の要求を行なって、以降のデータ転送処理及び再生処理を続行する。
【００１７】
＜ＨＤＤ起動時に電圧低下を回避するデータ読取処理＞
・図５のフローチャートによるデータ読取処理
次に、上述した再生装置においてＨＤＤ起動時に電圧低下を回避したデータ読取処理の一例をフローチャートを用いて詳細に説明する。図３は、本発明の一実施形態に係る再生装置の動作の一例を示すタイミングチャートである。図４は、段階的な速度制御を行なわない場合の再生装置の電圧値、電流値の変化の一例を示すグラフである。図５及び図６は、本発明の一実施形態に係る再生装置のデータ読取処理の一例を示すフローチャートである。
【００１８】
なお、以下の図５及び図６のフローチャートの各ステップは、回路ブロックに置き換えることができ、従って、各フローチャートのステップは、全てブロックに定義しなおすことが可能である。
【００１９】
初めに、再生装置１において、制御部１２の制御下において、ユーザの操作部１３の図示しない電源スイッチがオンされたか又はデータ転送が必要かどうかが検出される（ステップＳ１１）。すなわち、電源スイッチのオンだけではなく、上述したように必要なデータ転送後、ＨＤＤメディア２０が停止していたが、ユーザが再生スイッチを押下したか、揮発性メモリ１５に格納した音声ファイルが不足した場合により、データ転送が必要となったかどうかが判断される。
【００２０】
制御部１２は、電源スイッチのオン、又は、揮発性メモリ１５に格納した音声ファイルの不足等によるデータ転送の必要を検出して、図３に示すように、所定時間Ｔ１の間は、ドライバ２２の駆動電流を調節することでモータ２１への駆動電流を段階的に上昇させる（ステップＳ１２）。
【００２１】
これにより、図４に示すような時刻ｔαでの急激な消費電流Ｉ１の増加に基づく電源電圧Ｖ１の低下を回避するものである。なお、図４の場合は、電源電圧Ｖ１の急激な低下により電圧閾値値Ｖαを越えて電源電圧が低下してしまったために、バッテリ部２３は消耗されたと判断されて動作停止してしまう。
【００２２】
本発明の一実施形態であるＨＤＤ起動時に電圧低下を回避するデータ読取処理は、このような不具合を回避するもので、制御部１２の働きによりモータ２１への駆動電流を段階的に上昇させることで、急激なバッテリ部２３の電源電圧の低下を回避してハードディスクドライブの動作立上がりとバッテリの長寿命を同時に可能としている。
【００２３】
次に、制御部１２の制御により、期間Ｔ１の間は、不揮発性メモリＢ１９から揮発性メモリＡ１５へのデータ（音声ファイル、動画ファイル、静止画情報、管理情報等）の転送処理が行なわれる（ステップＳ１４）。そして、制御部１２の制御下において、揮発性メモリＡ１５のデータを拡張処理し、表示部１１や再生部２５へデータ（音声ファイル、動画ファイル、静止画情報、管理情報等）が供給される（ステップＳ１５）。
【００２４】
これにより、例えば、表示部１１では、電源投入直後でＨＤＤメディア２０が十分な回転速度で回転していない場合でも、不揮発性メモリＢ１９から供給された静止画情報等により直ちにメニュー画面等を表示することができる。
【００２５】
更に、ステップＳ１３において、所定時間Ｔが経過すると、ＨＤＤメディア２０から各データが供給することができるようになる。これにより、制御部１２の制御下において、ＨＤＤメディア２０から揮発性メモリＡ１５へデータを供給する（ステップＳ１６）。更に、揮発性メモリＡ１５のデータを拡張して、表示部１１及び又は再生部２５へ供給する（ステップＳ１７）。その後、必要に応じて、ＨＤＤメディア２０から、不揮発性メモリＢ１９へデータを供給する（ステップＳ１８）。その後、ＨＤＤ部１６は、設定時間の経過等の条件に応じて電源がオフされる（ステップＳ１９）。
【００２６】
なお、図５及び次の図６のフローチャートは常時反復されるサブルーティンであり、ＨＤＤメディア２０の起動が必要であるかどうかが制御部１２により監視されて動作する。
【００２７】
このように、ＨＤＤメディアＣ２０の回転速度を段階的に上げることで、ＨＤＤ起動時の急激な電源電圧低下を回避し、ハードディスクドライブの動作立上がりとバッテリの長寿命を同時に可能とする再生装置を実現するものである。
【００２８】
・図６のフローチャートによるデータ読取処理
更に、上記のデータ読取処理は、常時行なうのではなく、バッテリ部２３の電源電位が所定値以下である場合に限り行なうことも好適である。図６のフローチャートと図５のフローチャートと共通している処理はその説明を省略し、異なる部分のみを以下に説明する。
【００２９】
すなわち、ステップＳ２１において、バッテリ部２３の電源電位が所定値以下である場合に限り、ステップＳ１２以降の処理を行なうこととする。ステップＳ２１において、バッテリ部２３の電源電位が十分な値を持っていれば、ＨＤＤメディアＣ２０の回転速度を直ちに１００％の値となるべく、１００％の駆動電流をドライバ２２からモータ２１に供給する（ステップＳ２２）。その後、ステップＳ１６以降の処理を行なうことで、ＨＤＤメディアから必要なデータを、揮発性メモリＡ１５等を経由して表示部１１や再生部２５に供給することができる。これにより、バッテリ部２３の電源電位が十分な値の場合は、不揮発性メモリＢ１９に必要なデータが格納されていない場合でも、確実な表示処理や再生処理が可能となるものである。
【００３０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３１】
【図１】本発明の一実施形態に係る再生装置の構成の一例を示すブロック図。
【図２】本発明の一実施形態に係る再生装置の外観の一例を示す外観図。
【図３】本発明の一実施形態に係る再生装置の動作の一例を示すタイミングチャート。
【図４】段階的な速度制御を行なわない場合の再生装置の電圧値、電流値の変化の一例を示すグラフ。
【図５】本発明の一実施形態に係る再生装置のデータ読取処理の一例を示すフローチャート。
【図６】本発明の一実施形態に係る再生装置のデータ読取処理の一例を示すフローチャート。
【符号の説明】
【００３２】
１…ＨＤＤプレーヤ、１１…表示部、１２…制御部、１３…操作部、１４…端末ホスト、１５…内蔵揮発性メモリ、１６…ＨＤＤ、１７…ＨＤＤ用ワークメモリ、１８…ＨＤＤ用コントローラ、１９…大容量不揮発性メモリ、２０…ＨＤＤメディア、２１…ＨＤＤモータ、２２…ＨＤＤモータドライバ、２３…バッテリ部、２４…スイッチ部。
【図１】
2008108302.tif 000003
【図２】
2008108302.tif 000004
【図３】
2008108302.tif 000005
【図４】
2008108302.tif 000006
【図５】
2008108302.tif 000007
【図６】
2008108302.tif 000008